(57)【要約】【課題】  受信者側において煩わしい事前の準備を必要とせず，受信した文書を一旦印刷するものの第三者への情報の漏洩を回避し，その文書の内容は，他の都合のよいタイミングで確認することが可能な文書転送システムを提供する。【解決手段】  送信者が設定した暗号化パスワードをカバーシートに重畳し印刷する文書生成装置１１０と，その文書を送信する文書送信装置１２０と，文書送信装置に通信網を介して接続され，文書を受信し，第三者が本文を読み取ることができないように，少なくとも受信した文書のカバーシートを印刷する文書受信装置１３０と，印刷されたカバーシートを読み取り，暗号化パスワードを抽出し，受信者が入力したパスワードと一致する場合，受信者が読み取り可能な状態で文書の本文を印刷する文書印刷装置１４０と，を含む文書転送システムが提供される。【選択図】    図１
2006332826.tif 000002
【特許請求の範囲】
【請求項１】
設定されたパスワードを暗号化し，該暗号化されたパスワードである暗号化パスワードをカバーシートに重畳するパスワード重畳部と，前記暗号化パスワードが重畳されたカバーシートを印刷する原稿印刷部と，を備える文書生成装置と；
前記文書生成装置で印刷されたカバーシート，および本文を送信する文書送信装置と；
前記文書送信装置に通信網を介して接続され，前記文書送信装置から送信された文書を受信する文書受信部と，第三者が本文を読み取ることができないように，少なくとも受信した文書のカバーシートを印刷する文書印刷部と，を備える文書受信装置と；
前記文書受信装置で印刷されたカバーシートを読み取り，該カバーシートから前記暗号化パスワードを抽出するパスワード抽出部と，受信者にパスワードを入力させるパスワード入力部と，前記パスワード入力部におけるパスワードと前記暗号化パスワードを復号したパスワードが一致する場合，受信者が読み取り可能な状態で前記文書の本文を印刷する本文印刷部と，を備える文書印刷装置と；
を含むことを特徴とする，文書転送システム。
【請求項２】
前記文書受信装置は，データを記憶するデータ記憶部と，前記受信された文書のカバーシートに暗号化パスワードが重畳されているかどうか判断するパスワード判断部と，前記パスワード判断部で暗号化パスワードが重畳されていると判断された場合，前記本文に，該本文を識別可能な識別ＩＤを付して前記データ記憶部に記憶する本文記憶部と，をさらに備え，前記文書印刷部は，前記カバーシートに，前記識別ＩＤを暗号化した暗号化識別ＩＤをさらに重畳し，該カバーシートのみを印刷し，
前記パスワード抽出部は，前記カバーシートから前記暗号化識別ＩＤも抽出し，前記本文印刷部は，前記パスワード入力部におけるパスワードと前記暗号化パスワードを復号したパスワードが一致する場合，前記暗号化識別ＩＤを復号した識別ＩＤによって前記文書受信装置のデータ記憶部から前記本文を読み出し，該本文を印刷することを特徴とする，請求項１に記載の文書転送システム。
【請求項３】
前記文書受信装置は，前記受信された文書のカバーシートに暗号化パスワードが重畳されているかどうか判断するパスワード判断部と，前記パスワード判断部で暗号化パスワードが重畳されていると判断された場合，前記文書の本文をコード化する本文コード化部と，をさらに備え，前記文書印刷部は，前記カバーシートと，コード化された本文であるコード化本文とを印刷し，
前記本文印刷部は，前記パスワード入力部におけるパスワードと前記暗号化パスワードを復号したパスワードが一致する場合，前記コード化本文を復号し，該本文を印刷することを特徴とする，請求項１に記載の文書転送システム。
【請求項４】
前記文書生成装置は，前記本文コード化部をさらに備え，
前記文書受信装置には，前記パスワード判断部と本文コード化部とを設けないことを特徴とする，請求項３に記載の文書転送システム。
【請求項５】
前記文書送信装置と文書受信装置とを中継する中継器に前記パスワード判断部と前記本文コード化部が設けられ，
前記文書受信装置には，前記パスワード判断部と本文コード化部とを設けないことを特徴とする，請求項３に記載の文書転送システム。
【請求項６】
前記文書生成装置は，本文中の所定の部分をコード化して該本文中に重畳する部分コード化部と，前記所定の部分を隠蔽する部分隠蔽部と，をさらに含み，前記原稿印刷部は，前記暗号化パスワードが重畳されたカバーシート，および，前記所定の部分が隠蔽された本文である隠蔽本文を印刷し，
前記本文印刷部は，前記パスワード入力部におけるパスワードと前記暗号化パスワードを復号したパスワードが一致する場合，前記文書の隠蔽本文に重畳されたコードから本文を復号し，該本文を印刷することを特徴とする，請求項１に記載の文書転送システム。
【請求項７】
前記部分隠蔽部は，文書受信装置に設けられ，前記部分コード化部によりコード化された所定の部分を参照し，該所定の部分を隠蔽することを特徴とする，請求項６に記載の文書転送システム。
【請求項８】
前記部分隠蔽部は，前記文書送信装置と文書受信装置とを中継する中継器に設けられ，前記部分コード化部によりコード化された所定の部分を参照し，該所定の部分を隠蔽することを特徴とする，請求項６に記載の文書転送システム。
【請求項９】
設定されたパスワードを暗号化し，該暗号化されたパスワードである暗号化パスワードをカバーシートに重畳するパスワード重畳部と；
少なくとも前記暗号化パスワードが重畳されたカバーシートを印刷する原稿印刷部と；
を備えることを特徴とする，文書生成装置。
【請求項１０】
前記暗号化パスワードは，バーコード，２次元コード，電子透かしのいずれかによってカバーシートに重畳されることを特徴とする，請求項９に記載の文書生成装置。
【請求項１１】
本文中の所定の部分をコード化して該本文中に重畳する部分コード化部と；
前記所定の部分を隠蔽する部分隠蔽部と；
をさらに備え，
前記原稿印刷部は，前記暗号化パスワードが重畳されたカバーシート，および，前記所定の部分が隠蔽された本文である隠蔽本文を印刷することを特徴とする，請求項９に記載の文書生成装置。
【請求項１２】
前記部分コード化部は，前記所定の部分の座標データと元となる画像パターンとによってコード化されることを特徴とする，請求項１１に記載の文書生成装置。
【請求項１３】
前記所定の部分のコード化は，バーコード，２次元コード，電子透かしのいずれかによってなされることを特徴とする，請求項１１に記載の文書生成装置。
【請求項１４】
設定されたパスワードを暗号化し，該暗号化されたパスワードである暗号化パスワードをカバーシートに重畳するパスワード重畳ステップと；
少なくとも前記暗号化パスワードが重畳されたカバーシートを印刷する原稿印刷ステップと；
を含むことを特徴とする，文書生成方法。
【請求項１５】
外部機器に通信網を介して接続され，前記外部機器から送信された文書を受信する文書受信部と；
第三者が本文を読み取ることができないように，少なくとも受信した文書のカバーシートを印刷する文書印刷部と；
を備えることを特徴とする，文書受信装置。
【請求項１６】
データを記憶するデータ記憶部と；
前記受信された文書のカバーシートに，前記外部機器で暗号化されたパスワードである暗号化パスワードが重畳されているかどうか判断するパスワード判断部と；
前記パスワード判断部で暗号化パスワードが重畳されていると判断された場合，前記本文に，該本文を識別可能な識別ＩＤを付して前記データ記憶部に記憶する本文記憶部と；
をさらに備え，
前記文書印刷部は，前記カバーシートに，前記識別ＩＤを暗号化した暗号化識別ＩＤをさらに重畳し，該カバーシートのみを印刷することを特徴とする，請求項１５に記載の文書受信装置。
【請求項１７】
前記文書が読み出された後，データ記憶部に残っている本文を削除する本文削除部をさらに含むことを特徴とする，請求項１５に記載の文書受信装置。
【請求項１８】
前記本文削除部は，さらに，前記文書の受信後，所定の時間経過後にデータ記憶部に残っている本文を強制的に削除することを特徴とする，請求項１７に記載の文書受信装置。
【請求項１９】
前記受信された文書のカバーシートに，外部機器で暗号化されたパスワードである暗号化パスワードが重畳されているかどうか判断するパスワード判断部と；
前記パスワード判断部で暗号化パスワードが重畳されていると判断された場合，前記文書の本文をコード化する本文コード化部と；
をさらに備え，
前記文書印刷部は，前記カバーシートと，コード化された本文であるコード化本文とを印刷することを特徴とする，請求項１５に記載の文書受信装置。
【請求項２０】
前記文書のコード化は，バーコード，２次元コード，電子透かしのいずれかによってなされることを特徴とする，請求項１９に記載の文書受信装置。
【請求項２１】
外部機器に通信網を介して接続され，前記外部機器から送信された文書を受信する文書受信ステップと；
第三者が本文を読み取ることができないように，少なくとも受信した文書のカバーシートを印刷する文書印刷ステップと；
を含むことを特徴とする，文書受信方法。
【請求項２２】
外部機器から送信された文書を受信する文書受信装置で印刷されたカバーシートを読み取り，該カバーシートから前記外部機器で暗号化されたパスワードである暗号化パスワードを抽出するパスワード抽出部と；
受信者にパスワードを入力させるパスワード入力部と；
前記パスワード入力部におけるパスワードと前記暗号化パスワードを復号したパスワードが一致する場合，受信者が読み取り可能な状態で前記文書の本文を印刷する本文印刷部と；
を備えることを特徴とする，文書印刷装置。
【請求項２３】
前記パスワード抽出部は，前記文書受信装置で暗号化された識別ＩＤである暗号化識別ＩＤも抽出し，
前記本文印刷部は，前記パスワード入力部におけるパスワードと前記暗号化パスワードを復号したパスワードが一致する場合，前記暗号化識別ＩＤを復号した識別ＩＤによって前記文書受信装置のデータ記憶部から前記本文を読み出して印刷することを特徴とする，請求項２２に記載の文書印刷装置。
【請求項２４】
前記本文印刷部は，前記パスワード入力部におけるパスワードと前記暗号化パスワードを復号したパスワードが一致する場合，前記外部機器でコード化され，該文書受信装置で印刷されたコード化本文を復号し，該本文を印刷することを特徴とする，請求項２２に記載の文書印刷装置。
【請求項２５】
前記本文印刷部は，前記パスワード入力部におけるパスワードと前記暗号化パスワードを復号したパスワードが一致する場合，前記外部機器で所定の部分をコード化，隠蔽され，該文書受信装置で印刷された隠蔽本文に重畳されたコードから本文を復号し，該本文を印刷することを特徴とする，請求項２２に記載の文書印刷装置。
【請求項２６】
前記本文印刷部は，前記隠蔽本文に重畳されたコードから隠蔽部分の座標データと元となる画像パターンとを抽出，復元し，該本文を印刷することを特徴とする，請求項２５に記載の文書印刷装置。
【請求項２７】
外部機器から送信された文書を受信する文書受信装置で印刷されたカバーシートを読み取り，該カバーシートから前記外部機器で暗号化されたパスワードである暗号化パスワードを抽出するパスワード抽出ステップと；
受信者にパスワードを入力させるパスワード入力ステップと；
前記パスワード入力部におけるパスワードと前記暗号化パスワードを復号したパスワードが一致する場合，受信者が読み取り可能な状態で前記文書の本文を印刷する本文印刷ステップと；
を含むことを特徴とする，文書印刷方法。
【請求項２８】
文書をコード化したコード化文書を送信する文書送信装置と；
前記文書送信装置から受信した文書を印刷する文書受信装置と；
前記文書送信装置と前記文書受信装置との間を中継し，入力された文書がコード化文書であるかどうか判断するコード化判断部と，コード化文書である場合，かかるコード化文書の送信先と所定の送信先とが一致するかどうか判断し，一致する場合，該コード化文書を復号する文書復号部と，復号された文書を前記送信先である文書受信装置に出力する文書出力部と，を備える中継器と；
を含むことを特徴とする，文書転送システム。
【請求項２９】
入力された文書がコード化されている文書であるコード化文書であるかどうか判断するコード化判断部と；
コード化文書である場合，かかるコード化文書の送信先と所定の送信先とが一致するかどうか判断し，一致する場合，該コード化文書を復号する文書復号部と；
復号された文書を前記送信先に出力する文書出力部と；
を備えることを特徴とする，中継器。
【請求項３０】
入力された文書がコード化されている文書であるコード化文書であるかどうか判断するコード化判断ステップと；
コード化文書である場合，かかるコード化文書の送信先と所定の送信先とが一致するかどうか判断し，一致する場合，該コード化文書を復号する文書復号ステップと；
復号された文書を前記送信先に出力する文書出力ステップと；
を備えることを特徴とする，中継方法。
【発明の詳細な説明】
【技術分野】
【０００１】
本発明は，ファクシミリ等の文書転送システム，文書生成装置および方法，文書受信装置および方法，文書印刷装置および方法，中継器および方法に関する。
【背景技術】
【０００２】
比較的離れた場所に情報を伝達する手段として，通信網を介したファクシミリが従来から用いられている。かかるファクシミリでは，送信先の識別番号（例えば電話番号）をユーザが手入力する必要があるので，番号の入力ミスによって意図しない送信先にファクシミリが送信される問題があった。また，ファクシミリの受信側では，受信した文書に受け取るべき者が気づかず長時間放置され，その内容が第三者に漏洩してしまうという危険性もあった。
【０００３】
このような問題を回避するため，受信する文書をあえて出力せず，私書箱に格納する「Ｆコード親展機能」が多くのファクシミリ装置で採用されている。しかし，かかるＦコード親展機能においては，受信者が私書箱の設置，私書箱のパスワードの設定，および発信者にＦコードを開示する等の事前の準備が必要であった。
【０００４】
また，送信する文書を中継するサーバを設置し，そのサーバにおいて文書毎の識別ＩＤやパスワードを設定し，それを宛先となる受信者へ電子データとして送信する技術が知られている（例えば，特許文献１）。かかる技術は，従来のように送信者から受信者へ口頭で識別ＩＤやパスワードを伝える構成ではないため，受信すべき受信者が容易に上記文書を入手することができる。
【０００５】
しかし，上記の技術は，第三者への漏洩を防げるが，上述したＦコード親展機能同様，中継器の設置等準備にコストを要し，通信網を介したサーバへのロード，サーバからのロードといった２重の通信時間を要す。
【０００６】
また，送信先の識別番号および親展指示データをバーコードとして送信文書に埋め込み，送信時には，かかる識別番号を自動的にダイヤルして送信先間違いを回避し，受信側においては，親展指示データによる親展指示モードを認識し，受信文書を，例えば不透明シートをラミネートする等により外部から判読できないように加工する技術が知られている（例えば，特許文献２）。
【０００７】
しかし，かかる技術は，シートをラミネートする機構等高価な機能を要すだけでなく，悪意を持った第三者からすると，受信文書の情報を得るのが煩わしくなっただけに過ぎない。即ち，かかる技術を持ってしても，そのラミネートされた不透明シートを排除しさえすれば情報を得ることができる。
【０００８】
【特許文献１】特許３６１５７４９号公報
【特許文献２】特開平５−３００３８７号公報
【発明の開示】
【発明が解決しようとする課題】
【０００９】
本発明は，従来の文書転送システムが有する上記問題点に鑑みてなされたものであり，本発明の目的は，受信者側において煩わしい事前の準備を必要とせず，受信した文書を一旦印刷するものの第三者への情報の漏洩を回避し，その文書の内容は，他の都合のよいタイミングで確認することが可能な，新規かつ改良された文書転送システム，文書生成装置および方法，文書受信装置および方法，文書印刷装置および方法を提供することである。
【課題を解決するための手段】
【００１０】
上記課題を解決するために，本発明のある観点によれば，設定されたパスワードを暗号化し，該暗号化されたパスワードである暗号化パスワードをカバーシートに重畳するパスワード重畳部と，上記暗号化パスワードが重畳されたカバーシートを印刷する原稿印刷部と，を備える文書生成装置と；上記文書生成装置で印刷されたカバーシート，および本文を送信する文書送信装置と；上記文書送信装置に通信網を介して接続され，上記文書送信装置から送信された文書を受信する文書受信部と，第三者が本文を読み取ることができないように，少なくとも受信した文書のカバーシートを印刷する文書印刷部と，を備える文書受信装置と；上記文書受信装置で印刷されたカバーシートを読み取り，該カバーシートから上記暗号化パスワードを抽出するパスワード抽出部と，受信者にパスワードを入力させるパスワード入力部と，上記パスワード入力部におけるパスワードと上記暗号化パスワードを復号したパスワードが一致する場合，受信者が読み取り可能な状態で上記文書の本文を印刷する本文印刷部と，を備える文書印刷装置と；を含むことを特徴とする，文書転送システムが提供される。
【００１１】
本発明は，文書の送信側において，文書を参照するためのパスワードを送信者が設定，暗号化し，受信側で本文が削除もしくは加工された文書を印刷し，それとは相違するタイミングで別途本文を参照する流れによって秘匿文書を参照する。従って，受信した文書は受信直後，第三者が閲覧できる場所に一旦印刷されるが，その文書の本文（内容）は，第三者には読み取ることができず，また，その本文は読むべき人のみが，自由なタイミングで参照できる。
【００１２】
上記課題を解決するために，本発明の特徴的な第１の観点によれば，上記文書受信装置は，データを記憶するデータ記憶部と，上記受信された文書のカバーシートに暗号化パスワードが重畳されているかどうか判断するパスワード判断部と，上記パスワード判断部で暗号化パスワードが重畳されていると判断された場合，上記本文に，該本文を識別可能な識別ＩＤを付して上記データ記憶部に記憶する本文記憶部と，をさらに備え，上記文書印刷部は，上記カバーシートに，上記識別ＩＤを暗号化した暗号化識別ＩＤをさらに重畳し，該カバーシートのみを印刷し，上記パスワード抽出部は，上記カバーシートから上記暗号化識別ＩＤも抽出し，上記本文印刷部は，上記パスワード入力部におけるパスワードと上記暗号化パスワードを復号したパスワードが一致する場合，上記暗号化識別ＩＤを復号した識別ＩＤによって上記文書受信装置のデータ記憶部から上記本文を読み出し，該本文を印刷することができる。
【００１３】
ここで，カバーシートは，伝送する文書の表紙に利用される送信状のことを言い，レターヘッドとも言われる。また，本文は，かかるカバーシートに続く文書の内容を言い，本発明では，この本文の秘匿を目的とする。従って，上記文書は，カバーシートと本文から構成される。また，上記識別ＩＤは，文書受信装置と文書印刷装置との間でのみ，かつオフラインで有効であり，第三者にかかる識別ＩＤを知られることはない。
【００１４】
上記文書受信装置により，受信された文書のカバーシートのみが一旦印刷され，受信者は，そのカバーシートによって文書が受信されたことを認識できる。また，このようなカバーシートのみでは，第三者が内容を把握することができないので，カバーシートを放置していたとしても情報の漏洩は防止される。さらに，上記カバーシートの印刷時にはパスワードの入力が必要なく，ユーザは，その内容（本文）を確認したいタイミングで参照することができる。もちろん，送信者と受信者はパスワードを暗号化，復号化するための共通鍵を有している。
【００１５】
上記文書生成装置のパスワード重畳部は，送信する文書受信装置の宛先も併せて暗号化するとしても良く，上記文書送信装置は，暗号を復号し，自動的に上記宛先にダイヤルして文書を送信するとしても良い。また，暗号化パスワードは，バーコード，２次元コード，電子透かし（地紋）のいずれかによってカバーシートに重畳されるとしても良い。上記電子透かしを利用して暗号化パスワードを重畳した（埋め込んだ）場合，紙面レイアウトの制約が無いのでカバーシートの紙面を有効に活用できる。
【００１６】
上記パスワードは，送信者および受信者の両者において設定することが可能である。また，このパスワードは，直接，送信文書に添付され，文書印刷装置において，受信者が入力したパスワードと直接比較される。従って，パスワードをどこかに保持する必要もなく，送信側と受信側とがパスワードを共有できる範囲内で，柔軟に変更することが可能である。
【００１７】
上記の構成では，一旦記憶された本文は，データ記憶部に留まることとなる。従って，上記文書が読み出された後，データ記憶部に残っている本文を削除する本文削除部をさらに含むとしても良い。また，ユーザが本文を参照するまで，本文は，データ記憶部に留まる。長時間データが保持されると，その情報が漏洩する危険性が生じる。上記本文削除部は，さらに，上記文書の受信後，所定の時間経過後にデータ記憶部に残っている本文を強制的に削除するとしても良い。
【００１８】
また，上記文書印刷部は，上記カバーシートに，上記識別ＩＤを暗号化した暗号化識別ＩＤをさらに重畳し，該カバーシートのみを印刷することができるが，かかるカバーシートがＰＤＦファイルとして排出されるとしても良く，受信履歴をＰＤＦにまとめて排出されるとしても良い。
【００１９】
さらに，上記データ記憶部に記憶される本文は，パスワードを共通鍵とした暗号化により保護するとしても良い。かかる構成により，第三者がデータ記憶部にアクセスして本文を抜き取ったとしても，情報の漏洩は生じない。
【００２０】
また，上記文書転送システムを構成する文書生成装置，文書送信装置，文書受信装置，文書印刷装置がそれぞれ別体に提供される。
【００２１】
上記課題を解決するために，本発明の特徴的な第２の観点によれば，上記文書受信装置は，上記受信された文書のカバーシートに暗号化パスワードが重畳されているかどうか判断するパスワード判断部と，上記パスワード判断部で暗号化パスワードが重畳されていると判断された場合，上記文書の本文をコード化する本文コード化部と，をさらに備え，上記文書印刷部は，上記カバーシートと，コード化された本文であるコード化本文とを印刷し，上記本文印刷部は，上記パスワード入力部におけるパスワードと上記暗号化パスワードを復号したパスワードが一致する場合，上記コード化本文を復号し，該本文を印刷することができる。
【００２２】
上記文書生成装置は，上記本文コード化部をさらに備え，上記文書受信装置には，上記パスワード判断部と本文コード化部とを設けないとしても良い。
【００２３】
上記文書送信装置と文書受信装置とを中継する中継器に上記パスワード判断部と上記本文コード化部が設けられ，上記文書受信装置には，上記パスワード判断部と本文コード化部とを設けないとしても良い。
【００２４】
上記文書受信装置により，受信された文書のカバーシートとコード化された本文のみが一旦印刷され，受信者は，そのカバーシートによって文書が受信されたことを認識できる。また，このようなカバーシートとコード化された本文のみでは，第三者が内容を把握することができないので，かかる文書を放置していたとしても情報の漏洩は防止される。さらに，上記カバーシートおよびコード化本文の印刷時にはパスワードの入力が必要なく，ユーザは，その内容（本文）を確認したいタイミングで参照することができる。
【００２５】
上記の構成によると，データ記憶部の構成が必要なく，データを長時間保存することによるデータ漏洩の危険性や，許容量の制限による受信拒否といった弊害を回避できる。また，文書受信装置と文書印刷装置とを別体に設けることが可能となる。さらに，文書受信装置の故障や停電といった弊害時であっても，本文は非電気的な紙に保存されているため問題が生じない。
【００２６】
上記本文コード化部は，バーコード，２次元コード，電子透かしのいずれかによってなされるとしても良い。かかるコード化は，原本文への重畳ではなく，一旦，本文を削除したのち，コード化された本文を重畳する。また，電子透かしによるコード化は，受信した本文の量に応じてドットパターンの量を複数枚の紙面に渡って増やすことができるので，印刷紙面の柔軟性に優れている。
【００２７】
上記の構成により，送信者側でパスワードを設定することができ，受信者側では，煩わしい事前の準備をしなくても良い。
【００２８】
また，上記文書転送システムを構成する文書生成装置，文書送信装置，文書受信装置，文書印刷装置がそれぞれ別体に提供される。
【００２９】
上記課題を解決するために，本発明の特徴的な第３の観点によれば，上記文書生成装置は，本文中の所定の部分をコード化して該本文中に重畳する部分コード化部と，上記所定の部分を隠蔽する部分隠蔽部と，をさらに含み，上記原稿印刷部は，上記暗号化パスワードが重畳されたカバーシート，および，上記所定の部分が隠蔽された本文である隠蔽本文を印刷し，上記本文印刷部は，上記パスワード入力部におけるパスワードと上記暗号化パスワードを復号したパスワードが一致する場合，上記文書の隠蔽本文に重畳されたコードから本文を復号し，該本文を印刷することができる。
【００３０】
上記本文印刷部は，上記隠蔽本文に重畳されたコードから隠蔽部分の座標データと元となる画像パターンとを抽出，復元し，該本文を印刷するとしても良い。
【００３１】
上記部分隠蔽部は，文書受信装置に設けられ，上記部分コード化部によりコード化された所定の部分を参照し，該所定の部分を隠蔽するとしても良い。
【００３２】
上記部分隠蔽部は，上記文書送信装置と文書受信装置とを中継する中継器に設けられ，上記部分コード化部によりコード化された所定の部分を参照し，該所定の部分を隠蔽するとしても良い。
【００３３】
上記部分コード化部や部分隠蔽部により送信される文書は予め加工されているので，受信側では，一般的な文書受信装置，例えば，ファクシミリ装置でかかる文書を受信することができる。この文書受信装置により，受信された文書が一旦印刷され，受信者は，そのカバーシートによって文書が受信されたことを認識できる。また，このようなカバーシートと隠蔽本文のみでは，第三者が特定部分の内容を把握することができないので，かかる文書を放置していたとしても情報の漏洩は防止される。さらに，上記カバーシートの印刷時にはパスワードの入力が必要なく，ユーザは，その内容（本文）を確認したいタイミングで参照することができる。
【００３４】
上記の構成によると，データ記憶部の構成が必要なく，データを長時間保存することによるデータ漏洩の危険性や，許容量の制限による受信拒否といった弊害を回避できる。また，データ記憶部を共有している文書受信装置と文書印刷装置とを別体に設けることが可能となる。さらに，データ記憶部の故障や停電といった弊害時であっても，本文は非電気的な紙に保存されているため問題が生じない。
【００３５】
上記文書生成装置における所定の部分のコード化は，バーコード，２次元コード，電子透かしのいずれかによってなされるとしても良い。
【００３６】
また，上記文書転送システムを構成する文書生成装置，文書送信装置，文書受信装置，文書印刷装置がそれぞれ別体に提供される。
【００３７】
上記課題を解決するために，本発明の他の観点によれば，文書をコード化したコード化文書を送信する文書送信装置と；上記文書送信装置から受信した文書を印刷する文書受信装置と；上記文書送信装置と上記文書受信装置との間を中継し，入力された文書がコード化文書であるかどうか判断するコード化判断部と，コード化文書である場合，かかるコード化文書の送信先と所定の送信先とが一致するかどうか判断し，一致する場合，該コード化文書を復号する文書復号部と，復号された文書を上記送信先である文書受信装置に出力する文書出力部と，を備える中継器と；を含むことを特徴とする，文書転送システムが提供される。
【００３８】
かかる中継器の構成により，意図した送付先には通常のコード化されていない本文が届き，意図していない送付先に間違って送付した場合にも，第３者にはコード化された文書を読み取ることができないので，情報の漏洩が防止される。
【００３９】
また，上記文書転送システムを構成する中継器も提供される。
【００４０】
上述した文書生成装置，文書送信装置，文書受信装置，文書印刷装置，中継器は，それぞれ，パーソナルコンピュータ，ＰＤＡ（Ｐｅｒｓｏｎａｌ  Ｄｉｇｉｔａｌ  Ａｓｓｉｓｔａｎｔ），携帯電話，携帯型音声プレーヤ，家庭ゲーム機，情報家電等の電子機器と印刷機および／またはスキャナとの組合せで構成することができる。また，このような印刷機やスキャナと一体に形成された複合機によっても実施可能である。
【００４１】
また，コンピュータによって，文書生成装置，文書送信装置，文書受信装置，文書印刷装置，中継器として機能するプログラムも提供され，文書生成装置，文書送信装置，文書受信装置，文書印刷装置，中継器を利用して各機能を遂行する文書生成方法，文書送信方法，文書受信方法，文書印刷方法，中継方法も提供される。
【００４２】
上記文書生成装置と文書送信装置は１つの装置で構成可能である。また，文書受信装置と文書印刷装置も１つの装置で構成可能である。さらには，送信と受信の両機能を備える，文書生成装置，文書送信装置，文書受信装置，文書印刷装置を一体とした装置も提供される。また，データ記憶部等の各構成要素を別体の装置で構成することも可能である。
【発明の効果】
【００４３】
以上説明したように本発明によれば，文書受信装置において一旦印刷される文書は，本文が削除もしくは加工されており，第三者には読み取ることができず，情報の漏洩を回避可能となる。
【００４４】
また，本発明では送信者が任意のパスワードを設定することが可能であり，受信者は，自由なタイミングでそのパスワードを入力し，この本文を参照することができる。
【００４５】
さらに，従来のＦコード親展機能のような煩わしい事前の準備が不用なため，このような電子機器が不慣れな人であっても容易に操作することができる。
【発明を実施するための最良の形態】
【００４６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４７】
従来のファクシミリにおいても，第三者への情報の漏洩に対する対策は成されてきたが，構成が複雑になるばかりで，電子機器が不慣れな人は却って利用し辛くなっていた。例えば，Ｆコード親展機能においては，受信者が私書箱の設置，私書箱のパスワードの設定，および発信者にＦコードを開示する等の事前の準備が必要であった。
【００４８】
また，Ｆコード親展機能において，送信者は，受信者が設定した私書箱のパスワードを入手した後でなければファクシミリを送信できなかった。また，パスワードを入手した後も，送信者は，ファクシミリの送信時に発信番号にパスワードを手入力しなければならず，番号間違え等による弊害も多かった。
【００４９】
本実施形態における文書転送システムでは，文書の送信側，即ち送信者が文書を参照するためのパスワードを設定，かつそのパスワードを暗号化し，受信側で本文が削除もしくは加工された文書を印刷し，それとは相違するタイミングで別途本文を参照する流れによって秘匿文書を参照する。従って，受信した文書は受信直後，第三者が閲覧できる場所に一旦印刷されるが，その文書の本文（内容）は，第三者には読み取ることができず，また，その本文は読むべき人のみが，自由なタイミングで参照できる。このとき，上述した私書箱の設定のような事前の煩わしい準備は不要である。
【００５０】
図１は，文書転送システムの基本的構成を示したシステム系統図である。かかる文書転送システム１００は，送信者側に設けられる文書生成装置１１０と，文書送信装置１２０と，受信者側に設けられる文書受信装置１３０と，文書印刷装置１４０と，それらを結ぶ通信網１４２を含んで構成される。また，文書送信装置１２０と文書受信装置１３０とを中継する中継器１５０を含むとしても良い。
【００５１】
上記文書生成装置１１０は，送信するファクシミリ等の文書を生成する。かかる文書生成装置１１０は，ファクシミリ装置で構成されるとしても良く，パーソナルコンピュータと印刷機とスキャナ等の組合せで構成されるとしても良い。
【００５２】
上記文書送信装置１２０は，文書生成装置１１０で生成された文書や既存の文書を，通信網１４２を介して特定の文書受信装置１３０に送信する。かかる文書送信装置１２０は，ファクシミリ装置で構成されるとしても良い。
【００５３】
上記文書受信装置１３０は，通信網１４２を介して文書送信装置１２０から送信された文書を受信し，その文書の一部もしくは全部を印刷する。かかる文書受信装置１３０は，ファクシミリ装置で構成されるとしても良い。
【００５４】
上記文書印刷装置１４０は，一旦受信装置１３０で出力された一部もしくは全部の文書を再度読み込み，かかる文書に埋め込まれた情報を用いて，受信者のみが参照すべき文書の本文を抽出，印刷する。かかる文書生成装置１１０は，ファクシミリ装置で構成されるとしても良く，パーソナルコンピュータと印刷機とスキャナ，パーソナルコンピュータと複合機等の組合せで構成されるとしても良い。
【００５５】
上記中継器１５０は，文書送信装置１２０からの文書（電子文書）を入力し，なんらかの加工を施して文書受信装置１３０に出力する。かかる中継器１５０は，例えば，電話の交換機やサーバによって構成することができる。
【００５６】
上記文書転送システム１００では，受信した文書は受信直後，第三者が閲覧できる場所に一旦印刷されるが，その文書の本文は，第三者には読み取ることができず，また，その本文は読むべき人のみが，自由なタイミングで参照できる。
【００５７】
以下に，文書転送システム１００の詳細な構成を説明する。
【００５８】
（第１の実施形態：文書転送システム）
図２は，第１の実施形態における文書転送システム２００の概略的な構成を示したブロック図である。かかる文書転送システム２００は，文書生成装置１１０のパスワード重畳部２１０と，原稿印刷部２１２と，文書送信装置１２０と，文書受信装置１３０のデータ記憶部２２０と，文書受信部２２２と，パスワード判断部２２４と，本文記憶部２２６と，文書印刷部２２８と，本文削除部２３０と，文書印刷装置１４０のパスワード抽出部２４０と，パスワード入力部２４２と，本文印刷部２４４とを含んで構成される。
【００５９】
上記パスワード重畳部２１０は，送信者がパスワードを設定した後，その設定されたパスワードを暗号化し，該暗号化されたパスワードである暗号化パスワードをカバーシート２６０に重畳する。かかる暗号化パスワードは，バーコード，２次元コード，電子透かしのいずれかによってカバーシート２６０に重畳されるとしても良い。上記電子透かしを利用して暗号化パスワードを重畳した（埋め込んだ）場合，紙面レイアウトの制約が無いのでカバーシート２６０の紙面を有効に活用できる。
【００６０】
また，設定したパスワードは，文書を送信する前に受信者に伝達するか，あるいは受信者毎にパスワードを予め決定しておき，そのパスワードを参照して送付するとしても良い。
【００６１】
また，パスワード重畳部２１０は，送信する文書受信装置の宛先も併せて暗号化するとしても良く，文書送信装置１２０は，かかる暗号を復号し，自動的に上記宛先にダイヤルして文書を送信するとしても良い。このようにして，送信先のダイヤルを間違えることなく正確にファクシミリが受信者に届けられる。
【００６２】
上記原稿印刷部２１２は，上記暗号化パスワードが重畳されたカバーシート２６０を印刷する。ここでは，カバーシート２６０のみを印刷しているが，併せて本文２７０も作成し，同時に印刷することも可能である。
【００６３】
図３は，このように暗号化パスワードが付されたカバーシート２６０の外観を示した説明図である。ここでは，暗号化パスワードがバーコード２６２によって表される。従って，文書受信装置は，かかるバーコード２６２を判定することとなる。
【００６４】
上記文書送信装置１２０は，原稿印刷部２１２で印刷されたカバーシート２６０と，受信者に送信したい本文２７０とを通信網１４２を介して特定の文書受信装置１３０に送信する。
【００６５】
上記データ記憶部２２０は，文書受信装置１３０内のメモリであって，文書の本文２７０を含む様々なデータを記憶する。
【００６６】
上記文書受信部２２２は，文書送信装置１２０に通信網を介して接続され，文書送信装置１２０から送信された文書，即ちカバーシート２６０および本文２７０を受信する。受信時においては，かかるカバーシート２６０と本文２７０は一体に構成されている。
【００６７】
上記パスワード判断部２２４は，文書受信部２２２により受信された文書のカバーシート２６０に暗号化パスワードが重畳されているかどうか判断する。ここでは，カバーシートにバーコード２６２が付されているので，かかるバーコード２６２を復号し，暗号化パスワードの有無を確認する。
【００６８】
上記本文記憶部２２６は，パスワード判断部２２４で暗号化パスワードが重畳されていると判断された場合，受信した文書の一部をなす本文２７０に，本文２７０を識別可能な識別ＩＤを付してデータ記憶部２２０に記憶する。また，本文記憶部２２６は，出力する文書としてかかる本文２７０を削除，即ち本文２７０を出力しない。
【００６９】
さらに，本文記憶部２２６によってデータ記憶部２２０に記憶される本文２７０は，パスワードを共通鍵とした暗号化により保護するとしても良い。かかる構成により，第三者がデータ記憶部にアクセスして本文２７０を抜き取ったとしても，情報の漏洩は生じない。
【００７０】
上記文書印刷部２２８は，本文記憶部２２６で生成された識別ＩＤを暗号化し，この暗号化識別ＩＤを文書の一部をなすカバーシート２６０にさらに重畳し，カバーシート２６０のみを印刷する。
【００７１】
このように受信された文書のカバーシート２６０のみが一旦印刷され，受信者は，そのカバーシート２６０によって文書が受信されたことを認識できる。また，このようなカバーシート２６０のみでは，第三者が内容，即ち本文２７０を把握することができないので，カバーシート２６０を放置していたとしても情報の漏洩は防止される。
【００７２】
また，文書印刷部２２８は，上記カバーシート２６０をＰＤＦファイルとして排出することもでき，受信履歴をＰＤＦにまとめて排出することもできる。また，このようなＰＤＦファイルを電子メールに添付して受信者に知らせることも可能である。
【００７３】
上記本文削除部２３０は，文書が後述する本文印刷部２４４に読み出された後，データ記憶部２２０に残っている本文２７０を削除する。また，本文削除部２３０は，さらに，文書の受信後，所定の時間経過した後，例えば１日後にデータ記憶部２２０に残っている本文２７０を強制的に削除するとしても良い。かかる構成により，受信者が本文２７０を参照するのを忘れたとしても，長時間本文２７０が留まることなく，その情報の漏洩が防止される。また，このとき，本文２７０を削除せず，強制的に印刷するとしても良い。
【００７４】
上記パスワード抽出部２４０は，文書受信装置１３０で印刷されたカバーシート２６０を読み取り，カバーシート２６０から暗号化パスワードと暗号化識別ＩＤを抽出する。
【００７５】
上記パスワード入力部２４２は，キーボード，マウス，タッチペン等のユーザインターフェースにより，受信者にパスワードを入力させる。
【００７６】
上記本文印刷部２４４は，パスワード入力部２４２におけるパスワードと暗号化パスワードを復号したパスワードとが一致する場合，暗号化識別ＩＤを復号した識別ＩＤによって，文書受信装置１３０のデータ記憶部２２０から本文２７０を読み出し，該本文２７０を印刷する。ここで，文書印刷装置１４０と文書受信装置１３０は，一体に形成されるとしてもよく，また，別体に形成されるが何らかの通信手段によりデータ記憶部２２０を共有できるとしても良い。
【００７７】
上記パスワードは，送信者および受信者の両者において設定することが可能である。また，このパスワードは，直接，送信文書に添付され，文書印刷装置１４０において，受信者が入力したパスワードと直接比較される。従って，パスワードをどこかに保持する必要もなく，送信側と受信側とがパスワードを共有できる範囲内で，柔軟に変更することが可能である。
【００７８】
図４は，このようにして受信者に到達した本文２７０の外観を示した説明図である。かかる本文２７０は，文書受信装置１３０では印刷されず，受信者によって文書印刷装置１４０でのみ復元することができる。
【００７９】
続いて，第１の実施形態における文書転送システムによる文書転送方法を示す。かかる文書転送方法は，大きく，文書生成方法，文書送信方法，文書受信方法，文書印刷方法の流れで行われる。
【００８０】
図５は，上記文書転送方法の流れを示したフローチャートである。かかる文書転送方法では，先ず，文書生成方法として，送信者がパスワードを設定し（Ｓ３００），その後，文書生成装置１１０は，その設定されたパスワードを暗号化し，該暗号化されたパスワードである暗号化パスワードをカバーシート２６０に重畳する（Ｓ３０２）。かかる暗号化パスワードは，例えば，バーコードや電子透かし等により表される。
【００８１】
そして，文書生成装置１１０は，上記暗号化パスワードが重畳されたカバーシート２６０を印刷する（Ｓ３０４）。ここでは，カバーシート２６０のみを印刷している。送信者は，かかるカバーシート２６０に，受信者に送信したい本文２７０を追加して文書を生成する（Ｓ３０６）。
【００８２】
次に，文書送信方法として，文書送信装置１２０は，原稿印刷ステップ（Ｓ３０４）で印刷されたカバーシート２６０と，受信者に送信したい本文２７０とを通信網１４２を介して特定の文書受信装置１３０に送信する（Ｓ３１０）。
【００８３】
次に，文書受信方法として，文書受信装置１３０は，文書送信装置１２０から送信された文書，即ちカバーシート２６０および本文２７０を受信し（Ｓ３２０），そのカバーシート２６０に暗号化パスワードが重畳されているかどうか判断する（Ｓ３２２）。そして，パスワード判断ステップ（Ｓ３２２）で暗号化パスワードが重畳されていると判断された場合，受信した文書の本文２７０に，本文２７０を識別可能な識別ＩＤを付して所定の記憶媒体，例えば，データ記憶部２２０に記憶する（Ｓ３２４）。
【００８４】
そして，文書受信装置１３０は，本文記憶ステップ（Ｓ３２４）で生成された識別ＩＤを暗号化し，この暗号化識別ＩＤを文書の一部をなすカバーシート２６０にさらに重畳し，カバーシート２６０のみを印刷する（Ｓ３２６）。
【００８５】
このように受信された文書のカバーシート２６０のみが一旦印刷され，受信者は，そのカバーシート２６０によって文書が受信されたことを認識できる。また，このようなカバーシート２６０のみでは，第三者が内容，即ち本文２７０を把握することができないので，カバーシート２６０を放置していたとしても情報の漏洩は防止される。
【００８６】
次に文書印刷方法として，文書印刷装置１４０は，文書受信装置１３０で印刷されたカバーシート２６０を読み取り，カバーシート２６０から暗号化パスワードと暗号化識別ＩＤを抽出する（Ｓ３４０）。その後，受信者に対してパスワードの入力を要求し（Ｓ３４２），入力されたパスワードと暗号化パスワードを復号したパスワードとが一致するかどうか判断して，一致する場合，暗号化識別ＩＤを復号した識別ＩＤによって，文書受信装置１３０のデータ記憶部２２０から本文２７０を読み出し，該本文２７０を印刷する（Ｓ３４４）。このようにして，受信者は，本文２７０を参照することができる（Ｓ３４６）。
【００８７】
以上説明したように，本実施形態によれば，パスワードを表すコードが付与されたカバーシート２６０を用いてファクシミリを送信した場合に，受信側ではカバーシート２６０しか出力されず，本文２７０はメモリ等のデータ記憶部２２０にデータとして保存される。このため，印刷されたカバーシートを放置しても情報の漏洩は防止される。
【００８８】
また，受信側は親展受信のための事前準備やサーバの準備が必要なく，再受信の時間ロスが無いため，負荷を軽減させつつ，情報漏洩の危険性を回避できる。
【００８９】
（第２の実施形態：文書転送システム）
図６は，第２の実施形態における文書転送システム４００の概略的な構成を示したブロック図である。かかる文書転送システム４００は，文書生成装置１１０のパスワード重畳部２１０と，原稿印刷部２１２と，文書送信装置１２０と，文書受信装置１３０の文書受信部２２２と，パスワード判断部２２４と，本文コード化部４２６と，文書印刷部２２８と，文書印刷装置１４０のパスワード抽出部２４０と，パスワード入力部２４２と，本文印刷部２４４とを含んで構成される。
【００９０】
第１の実施形態における構成要素として既に述べたパスワード重畳部２１０と，原稿印刷部２１２と，文書送信装置１２０と，文書受信部２２２と，パスワード判断部２２４と，パスワード抽出部２４０と，パスワード入力部２４２とは，実質的に機能が同一なので重複説明を省略し，ここでは，新たな機能を有す本文コード化部４２６と，文書印刷部２２８と，本文印刷部２４４とを主に説明する。
【００９１】
上記本文コード化部４２６は，パスワード判断部２２４で暗号化パスワードが重畳されていると判断された場合，文書の本文２７０をコード化する。かかる文書２７０のコード化は，バーコード，２次元コード，電子透かしのいずれかによってなされるとしても良い。かかるコード化は，原本文への重畳ではなく，一旦，本文を削除したのち，コード化された本文を重畳する。また，電子透かしによるコード化は，受信した本文の量に応じてドットパターンの量を複数枚の紙面に渡って増やすことができるので，印刷紙面の柔軟性に優れている。
【００９２】
本実施形態においては，本文コード化部４２６を文書受信装置１３０の構成要素として説明しているがかかる場合に限られず，文書生成装置１１０や文書送信装置１２０と文書受信装置１３０とを中継する中継器１５０に設けられるとしても良い。このような構成にすることで，かかる文書受信装置１３０を市販されているファクシミリ装置で構成することが可能となる。
【００９３】
上記文書印刷部２２８は，カバーシート２６０と，コード化された本文であるコード化本文４７０とを印刷する。
【００９４】
図７は，このように印刷されたコード化本文４７０の外観を示した説明図である。かかるコード化本文４７０は，電子透かしによりコード化され，もはや内容を読み取ることができない。このときカバーシート２６０も印刷されるが，その外観は図３と同じなのでここでは省略する。
【００９５】
ここでは，文書受信装置１３０により，受信された文書のカバーシート２６０とコード化された本文４７０のみが一旦印刷され，受信者は，そのカバーシート２６０によって文書が受信されたことを認識できる。また，このようなカバーシート２６０とコード化された本文４７０のみでは，第三者が内容を把握することができないので，かかる文書を放置していたとしても情報の漏洩は防止される。
【００９６】
上記本文印刷部２４４は，パスワード入力部２４２におけるパスワードと暗号化パスワードを復号したパスワードが一致する場合，コード化本文４７０を復号し，該本文２７０を印刷する。このとき，再度カバーシート２６０が印刷されても良い。
【００９７】
このようにして受信者に到達した本文２７０は，送信時と同様，図４のようになる。かかる本文２７０は，文書受信装置１３０では印刷されず，受信者によって文書印刷装置１４０でのみ復元することができる。
【００９８】
上記文書受信装置１３０のカバーシート２６０およびコード化本文４７０の印刷時にはパスワードの入力は必要なく，受信者は，その内容（本文）を確認したいタイミングで文書印刷装置１４０において参照することができる。
【００９９】
続いて，第２の実施形態における文書転送システムによる文書転送方法を示す。かかる文書転送方法は，大きく，文書生成方法，文書送信方法，文書受信方法，文書印刷方法の流れで行われる。
【０１００】
図８は，上記文書転送方法の流れを示したフローチャートである。かかる文書転送方法では，先ず，文書生成方法として，送信者がパスワードを設定し（Ｓ５００），その後，文書生成装置１１０は，その設定されたパスワードを暗号化し，該暗号化されたパスワードである暗号化パスワードをカバーシート２６０に重畳する（Ｓ５０２）。かかる暗号化パスワードは，例えば，バーコードや電子透かし等により表される。
【０１０１】
そして，この暗号化パスワードが重畳されたカバーシート２６０を印刷する（Ｓ５０４）。ここでは，カバーシート２６０のみを印刷している。送信者は，かかるカバーシート２６０に，受信者に送信したい本文２７０を追加して文書を生成する（Ｓ５０６）。
【０１０２】
次に，文書送信方法として，文書送信装置１２０は，原稿印刷ステップ（Ｓ５０４）で印刷されたカバーシート２６０と，受信者に送信したい本文２７０とを通信網１４２を介して特定の文書受信装置１３０に送信する（Ｓ５１０）。
【０１０３】
次に，文書受信方法として，文書受信装置１３０は，文書送信装置１２０から送信された文書，即ちカバーシート２６０および本文２７０を受信し（Ｓ５２０），そのカバーシート２６０に暗号化パスワードが重畳されているかどうか判断する（Ｓ５２２）。そして，パスワード判断ステップ（Ｓ５２２）で暗号化パスワードが重畳されていると判断された場合，文書の本文２７０をコード化する（Ｓ５２４）。かかるコード化は，バーコード，２次元コード，電子透かしのいずれかによってなされるとしても良い。
【０１０４】
そして，文書受信装置１３０は，本文コード化ステップ（Ｓ５２４）で生成されたカバーシート２６０と，コード化された本文であるコード化本文４７０とを印刷する（Ｓ５２６）。
【０１０５】
このように受信された文書のカバーシート２６０とコード化本文４７０のみが一旦印刷され，受信者は，そのカバーシート２６０によって文書が受信されたことを認識できる。また，このようなカバーシート２６０とコード化本文４７０のみでは，第三者が内容，即ち本文２７０を把握することができないので，カバーシート２６０を放置していたとしても情報の漏洩は防止される。
【０１０６】
次に文書印刷方法として，文書印刷装置１４０は，文書受信装置１３０で印刷されたカバーシート２６０およびコード化本文４７０を読み取り，カバーシート２６０から暗号化パスワードを抽出する（Ｓ５４０）。その後，受信者に対してパスワードの入力を要求し（Ｓ５４２），入力されたパスワードと暗号化パスワードを復号したパスワードとが一致するかどうか判断して，一致する場合，コード化本文４７０を復号し，該本文２７０を印刷する。（Ｓ５４４）。このようにして，受信者は，本文を参照することができる（Ｓ５４６）。
【０１０７】
以上説明したように，本実施形態によれば，パスワードを表すコードが付与されたカバーシートを用いてファクシミリを送信した場合に，受信側ではカバーシートおよびドットパターン等で表されたシートしか出力されない。このため，印刷されたカバーシート２６０やコード化本文４７０を放置しても情報の漏洩を防ぐことができる。
【０１０８】
また，受信側は親展受信のための事前準備やサーバの準備が必要なく，再受信の時間ロスが無いため，負荷を軽減させつつ，情報漏洩の危険性を回避可能となる。
【０１０９】
また，第２の実施形態における文書転送システムでは，データ記憶部２２０の構成が必要なく，データを長時間保存することによるデータ漏洩の危険性や，許容量の制限による受信拒否といった弊害を回避できる。また，文書受信装置と文書印刷装置とを別体に設けることが可能となる。さらに，文書受信装置１３０の故障や停電といった弊害時であっても，本文は非電気的な紙に保存されているため問題が生じない。
【０１１０】
（第３の実施形態：文書転送システム）
図９は，第３の実施形態における文書転送システム６００の概略的な構成を示したブロック図である。かかる文書転送システム６００は，文書生成装置１１０のパスワード重畳部２１０と，部分コード化部６１０と，部分隠蔽部６１２と，原稿印刷部２１２と，文書送信装置１２０と，文書受信装置１３０の文書受信部２２２と，文書印刷部２２８と，文書印刷装置１４０のパスワード抽出部２４０と，パスワード入力部２４２と，本文印刷部２４４とを含んで構成される。
【０１１１】
第１の実施形態における構成要素として既に述べたパスワード重畳部２１０と，文書送信装置１２０と，文書受信部２２２と，パスワード抽出部２４０と，パスワード入力部２４２とは，実質的に機能が同一なので重複説明を省略し，ここでは，新たな機能を有す部分コード化部６１０と，部分隠蔽部６１２と，原稿印刷部２１２と，文書印刷部２２８と，本文印刷部２４４とを主に説明する。
【０１１２】
上記部分コード化部６１０は，受信者に送信する本文２７０中の所定の部分をコード化して該本文２７０の文字を削除しないまま，本文２７０に重畳する。かかる所定の部分のコード化は，バーコード，２次元コード，電子透かしのいずれかによってなされるとしても良い。
【０１１３】
上記部分隠蔽部６１２は，上記所定の部分にある文字または記号を読み取りできないように隠蔽する。この隠蔽は，例えば，黒色の塗りつぶし等により実施される。
【０１１４】
本実施形態においては，部分隠蔽部６１２を文書生成装置１１０の構成要素として説明しているがかかる場合に限られず，文書受信装置１３０や文書送信装置１２０と文書受信装置１３０とを中継する中継器１５０に設けられるとしても良い。このような構成にすることで，他のサービス事業者が，かかる機能を実施し，それに応じて利益を得ることもできる。
【０１１５】
上記原稿印刷部２１２は，暗号化パスワードが重畳されたカバーシート２６０，および，上記所定の部分が隠蔽された本文である隠蔽本文６７０を印刷する。
【０１１６】
図１０は，このように印刷された隠蔽本文６７０の外観を示した説明図である。かかる隠蔽本文６７０は，第三者に参照されたくない所定の部分６７２の位置および画像情報が電子透かし６７４によりコード化され，本文に重畳されている。そして，かかる所定の部分６７２が黒く塗りつぶされている。このようにして所定の部分６７２を参照できなくしている。このときカバーシート２６０も印刷されるが，その外観は図３と同じなのでここでは省略する。
【０１１７】
上記文書印刷部２２８は，第１および第２の実施形態と相違して，受信された文書をそのまま印刷することができる。従って，文書受信装置１３０は，市販されているファクシミリ装置を利用することが可能である。
【０１１８】
文書受信装置１３０は，受信された文書のカバーシート２６０と隠蔽本文６７０のみを印刷し，受信者は，そのカバーシート２６０によって文書が受信されたことを認識できる。また，このようなカバーシート２６０と隠蔽本文６７０のみでは，第三者が所定の部分６７２の内容を把握することができないので，かかる文書を放置していたとしても情報の漏洩は防止される。
【０１１９】
また，本文印刷部２４４は，パスワード入力部２４２におけるパスワードと暗号化パスワードを復号したパスワードが一致する場合，文書の隠蔽本文６７０に重畳されたコードから本文を復号し，該本文を印刷する。本文印刷部２４４は，上記隠蔽本文に重畳されたコードから隠蔽部分の座標データと元となる画像パターンとを抽出，復元し，該本文を印刷するとしても良い。
【０１２０】
このようにして受信者に到達した本文２７０は，上述した図４のようになる。かかる本文２７０は，文書受信装置１３０では印刷されず，受信者によって文書印刷装置１４０でのみ復元することができる。
【０１２１】
上記文書受信装置１３０のカバーシート２６０および隠蔽本文６７０の印刷時にはパスワードの入力は必要なく，受信者は，その内容（本文）を確認したいタイミングで上記文書印刷装置１４０において参照することができる。
【０１２２】
また，本実施形態における文書受信装置１３０は，市販されている通常のファクシミリ装置で構成することができる。
【０１２３】
続いて，第３の実施形態における文書転送システムによる文書転送方法を示す。かかる文書転送方法は，大きく，文書生成方法，文書送信方法，文書受信方法，文書印刷方法の流れで行われる。
【０１２４】
図１１は，上記文書転送方法の流れを示したフローチャートである。かかる文書転送方法では，先ず，文書生成方法として，送信者がパスワードを設定し（Ｓ７００），その後，文書生成装置１１０は，その設定されたパスワードを暗号化し，該暗号化されたパスワードである暗号化パスワードをカバーシート２６０に重畳する（Ｓ７０２）。かかる暗号化パスワードは，例えば，電子透かし等により表される。
【０１２５】
続いて，文書生成装置１１０は，受信者に送信する本文２７０中の所定の部分をコード化して該本文２７０の文字を削除しないまま，本文２７０に重畳し（Ｓ７０４），この所定の部分にある文字または記号を読み取りできないように隠蔽する（Ｓ７０６）。
【０１２６】
そして，この暗号化パスワードが重畳されたカバーシート２６０，および，上記所定の部分が隠蔽された本文である隠蔽本文６７０を印刷する（Ｓ７０８）。
【０１２７】
次に，文書送信方法として，文書送信装置１２０は，原稿印刷ステップ（Ｓ７０４）で印刷されたカバーシート２６０と，隠蔽本文６７０とを通信網１４２を介して特定の文書受信装置１３０に送信する（Ｓ７１０）。
【０１２８】
次に，文書受信方法として，文書受信装置１３０は，文書送信装置１２０から送信された文書，即ちカバーシート２６０および隠蔽本文６７０を受信し（Ｓ７２０），そのまま印刷する（Ｓ７２６）。
【０１２９】
このように受信された文書のカバーシート２６０と隠蔽本文６７０のみが一旦印刷され，受信者は，そのカバーシート２６０によって文書が受信されたことを認識できる。また，このようなカバーシート２６０と隠蔽本文６７０のみでは，第三者が内容，即ち本文２７０の所定の部分を把握することができないので，カバーシート２６０を放置していたとしても情報の漏洩は防止される。
【０１３０】
次に文書印刷方法として，文書印刷装置１４０は，文書受信装置１３０で印刷されたカバーシート２６０および隠蔽本文６７０を読み取り，カバーシート２６０から暗号化パスワードを抽出する（Ｓ７４０）。その後，受信者に対してパスワードの入力を要求し（Ｓ７４２），入力されたパスワードと暗号化パスワードを復号したパスワードとが一致するかどうか判断して，一致する場合，隠蔽本文６７０に重畳されたコードから本文を復号し，該本文２７０を印刷する（Ｓ７４４）。このようにして，受信者は，本文を参照することができる（Ｓ７４６）。
【０１３１】
以上説明したように，本実施形態によれば，パスワードを表すコードが付与されたカバーシートを用いてファクシミリを送信した場合に，受信側では所定の部分が隠蔽された隠蔽本文しかしか出力されない。このため，印刷されたカバーシート２６０や隠蔽本文６７０を放置しても情報の漏洩を防ぐことができる。また，隠蔽された部分以外は参照し，その本文が何を示す者か確認でき，大切な部分だけを秘匿することができる。
【０１３２】
また，受信側は親展受信のための事前準備やサーバの準備が必要なく，再受信の時間ロスが無いため，負荷を軽減させつつ，情報漏洩の危険性を回避可能となる。
【０１３３】
また，第３の実施形態における文書転送システムでも，第２の実施形態同様にデータ記憶部２２０の構成が必要なく，データを長時間保存することによるデータ漏洩の危険性や，許容量の制限による受信拒否といった弊害を回避できる。また，文書受信装置と文書印刷装置とを別体に設けることが可能となる。さらに，文書受信装置１３０の故障や停電といった弊害時であっても，本文は非電気的な紙に保存されているため問題が生じない。
【０１３４】
また，第３の実施形態では秘匿箇所の元のパターンをコードとして送信文書に埋め込む例を説明したが，かかる場合に限られず，これは例えば記載内容のテキストデータなど別の情報を埋め込んでも良い。
【０１３５】
（第４の実施形態：文書転送システム）
図１２は，第４の実施形態における文書転送システム８００の概略的な構成を示したブロック図である。かかる文書転送システム８００は，文書送信装置１２０と，文書受信装置１３０と，中継器１５０とを含んで構成される。上記文書送信装置１２０は，文書をコード化したコード化文書を送信し，上記文書受信装置１３０は，文書送信装置１２０から受信した文書を印刷する。上記中継器１５０は，文書送信装置１２０と文書受信装置１３０との間を中継する。
【０１３６】
本実施形態における文書転送システム８００は，中継器１５０に特定の送信先にのみ反応して，コード化文書を復号する仕組みを設け，送信者が意図した送信先には，復号された後のコード化されていない本文が届き，意図していない送信先に間違って送付した場合には，コード化されたままの本文が届く。
【０１３７】
上記中継器１５０は，コード化判断部８１０と，文書復号部８１２と，文書出力部８１４とを含んで構成される。
【０１３８】
上記コード化判断部８１０は，入力された文書がコード化されている文書であるコード化文書８３０であるかどうか判断する。
【０１３９】
上記文書復号部８１２は，コード化判断部８１０が入力された文書がコード化文書８３０であると判断した場合，かかるコード化文書の送信先と予め定められた送信先とが一致するかどうか判断する。送信先が一致する場合，該コード化文書を読み取ることができる本文に復号する。
【０１４０】
上記文書出力部８１４は，復号された文書８４０を文書受信装置１３０に出力する。
【０１４１】
このように，送信者が意図した送信先には，復号された後のコード化されていない文書８４０が届き，意図していない送信先に間違って送付した場合には，コード化されたままの文書８３０が届く。従って，送信先を間違ったとしても，第３者には文書を読み取ることができず，情報の漏洩が防止される。かかる発明は，間違いファクシミリの防止というよりむしろ，間違ったとしても情報の漏洩を防止するといった特徴を有す。
【０１４２】
また，ここでは，文書全体がコード化される場合を説明したが，かかる場合に限られず，例えば，第３の実施形態で説明したように所定の部分を隠蔽された文書にも適応できる。
【０１４３】
また，上記のような中継器１５０を利用して，文書送信装置１２０と文書受信装置１３０とを中継する中継方法も提供される。
【０１４４】
図１３は，中継方法の流れを示したフローチャートである。かかる中継方法では，中継器１５０が，文書送信装置１２０から入力された文書がコード化されている文書であるコード化文書であるかどうか判断し（Ｓ８５０），コード化文書である場合，かかるコード化文書の送信先と所定の送信先とが一致するかどうか判断し，一致する場合，該コード化文書を復号する（Ｓ８５２）。そして，このように復号された文書を文書受信装置１３０に出力する（Ｓ８５４）。
【０１４５】
また，送信側の装置を一体化，即ち，文書生成装置１１０と文書送信装置１２０とは１つの装置で構成することが可能である。さらには，受信側の装置を一体化，即ち，文書受信装置１３０と文書印刷装置１４０も１つの装置で構成することができる。また，送信者が受信者となる場合を踏まえると，送信と受信の両機能を備える，文書生成装置，文書送信装置，文書受信装置，文書印刷装置が一体化された装置も提供される。
【０１４６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１４７】
例えば，上記の実施形態では，データ記憶部を文書受信装置の構成要素として説明したが，かかる場合に限られず，通信網を介してデータを蓄積できる外部記憶部や，パスワード照合を行って受信文書を出力する電子文書保管装置によって置き換えることが可能である。
【０１４８】
また，第２，第３の実施形態で，文書受信装置もしくは文書生成装置において本文をコード化することを説明したがかかる場合に限られず，文書送信装置と文書受信装置とを中継するサーバにかかる機能を設けるとしても良い。また，かかる機能をサービスの一環とし，他のサービス事業者による課金対象とすることができる。このとき，提供するサービスは，データ記憶部へのアクセスや，交換機内でのコード化あるいは原稿編集サービスであり，それぞれの内容により課金先を決定することができる。
【０１４９】
また，上記の実施形態における通信網は，有線であっても，無線であっても良い。
【０１５０】
また，上記の実施形態では，主にファクシミリ装置に適応することを踏まえて説明されているが，電子メール等を利用したファクシミリの代替え手段にも応用可能である。さらに，上記の文書転送システムは，ファクシミリ装置に実装して親展通信する手段以外にも，パソコン上で動作するソフトウェアや，ファクシミリ機能を装備した複合機としても実装可能である。
【０１５１】
なお，本明細書の文書転送方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【産業上の利用可能性】
【０１５２】
本発明は，文書転送システム，文書生成装置および方法，文書受信装置および方法，文書印刷装置および方法，中継器および方法に適用可能である。
【図面の簡単な説明】
【０１５３】
【図１】文書転送システムの基本的構成を示したシステム系統図である。
【図２】第１の実施形態における文書転送システムの概略的な構成を示したブロック図である。
【図３】暗号化パスワードが付されたカバーシートの外観を示した説明図である。
【図４】受信者に到達した本文の外観を示した説明図である。
【図５】文書転送方法の流れを示したフローチャートである。
【図６】第２の実施形態における文書転送システムの概略的な構成を示したブロック図である。
【図７】印刷されたコード化本文の外観を示した説明図である。
【図８】文書転送方法の流れを示したフローチャートである。
【図９】第３の実施形態における文書転送システムの概略的な構成を示したブロック図である。
【図１０】印刷された隠蔽本文の外観を示した説明図である。
【図１１】上記文書転送方法の流れを示したフローチャートである。
【図１２】第４の実施形態における文書転送システムの概略的な構成を示したブロック図である。
【図１３】中継方法の流れを示したフローチャートである。
【符号の説明】
【０１５４】
１１０  文書生成装置
１２０  文書送信装置
１３０  文書受信装置
１４０  文書印刷装置
１５０  中継器
２１０  パスワード重畳部
２１２  原稿印刷部
２２０  データ記憶部
２２２  文書受信部
２２４  パスワード判断部
２２６  本文記憶部
２２８  文書印刷部
２３０  本文削除部
２４０  パスワード抽出部
２４２  パスワード入力部
２４４  本文印刷部
４２６  本文コード化部
６１０  部分コード化部
６１２  部分隠蔽部
８１０  コード化判断部
８１２  文書復号部
８１４  文書出力部
【図１】
2006332826.tif 000003
【図２】
2006332826.tif 000004
【図３】
2006332826.tif 000005
【図４】
2006332826.tif 000006
【図５】
2006332826.tif 000007
【図６】
2006332826.tif 000008
【図７】
2006332826.tif 000009
【図８】
2006332826.tif 000010
【図９】
2006332826.tif 000011
【図１０】
2006332826.tif 000012
【図１１】
2006332826.tif 000013
【図１２】
2006332826.tif 000014
【図１３】
2006332826.tif 000015